(57)【要約】【課題】もし使用者が女性用電子体温計を落下させてしまっても、表示部のホルダーを女性用電子体温計のケース内で移動しないように確実に固定することができる女性用電子体温計を提供する。【解決手段】体温を測定した際の情報を表示する表示部７と、表示部７を収容するケース３とを備えた女性用電子体温計であって、ケース３には、表示部７を保持する表示部ホルダー１０が配置されると共に、この表示部ホルダー１０をケース３内に保持する保持突起群４００が設けられており、保持突起群４００は、表示部ホルダー１０の端面を保持する複数の第１リブ７０〜７６と、ケース３の内底面に対面する表示部ホルダーの主面を保持する第２リブ８０とを有する。【選択図】図９
2013064622.tif 000002
【特許請求の範囲】
【請求項１】
体温を測定した際の情報を表示する表示部と、前記表示部を収容するケースと、を備えた女性用電子体温計であって、
前記ケースには、前記表示部を保持する表示部ホルダーが配置されると共に、この表示部ホルダーを前記ケース内に保持する複数の突起が設けられており、
前記複数の突起は、前記表示部ホルダーの端面を保持する複数の第１リブと、前記ケースの内底面に対面する前記表示部ホルダーの主面を保持する第２リブとを有する
ことを特徴とする女性用電子体温計。
【請求項２】
前記表示部ホルダーは、前記表示部ホルダーを前記ケースの内面に着脱可能に固定するための係合片部を有し、
前記係合片部は、前記ケースの内面側に向って付勢力を有する弾性部材であり、かつ、前記ケースの内面側の表面に別のリブが設けられている
ことを特徴とする請求項１に記載の女性用電子体温計。
【発明の詳細な説明】
【技術分野】
【０００１】
本発明は、記憶した体温トレンドを表示する機能を有する女性用電子体温計に関するものである。
【背景技術】
【０００２】
使用者の体温を計測する電子体温計としては、棒状のケースの先端部に感温部が設けられていると共に、ケース主面に体温計測結果を表示する表示部が設けられた電子体温計が一般的に知られている。そして、この表示部は近年、特に女性の基礎体温を計測するための体温計に電子体温計を応用したもの（以下、女性体温計と称する）について、大型化が進んでいる。
【０００３】
例えば、女性体温計の使用者は、計測した基礎体温を２４０日程度の長期にわたって記録することにより、使用者の高温相と低温相の周期を知ることができ、このため、女性体温計には、基礎体温等を記録するためのメモリが設けられており、トレンドグラフを作成して表示部に表示させることができる（特許文献１を参照）。また、女性体温計は、このトレンドグラフの表示機能の他にも、カレンダー機能、メモ登録機能といった種々の機能を有しており、通常の電子体温計に比べて多機能とされ、このため、使用者が表示部に表示された各種の情報を目視で確認できるようにするために、表示部が大型化されている（特許文献１を参照）。
【先行技術文献】
【特許文献】
【０００４】
【特許文献１】特開２０００−１９０２４号公報
【発明の概要】
【発明が解決しようとする課題】
【０００５】
ところで、表示部の大型化が進むと、表示部の重量が大きくなってしまう。さらに、表示部は、その視認性を向上させるために、その画面がケースのできるだけ表面側に配置されていることが望ましく、そうすると、その分、ケース内側に空洞が生じ易くなってしまう。このため、使用者が女性用電子体温計を落下させてしまうと、表示部（表示部を保持するホルダーを含む）が、女性用電子体温計のケース内で動いてしまい易く、女性用電子体温計の故障の原因ともなる。
そこで本発明は上記課題を解消し、使用者が女性用電子体温計を落下させてしまっても、表示部をケース内で確実に固定することができる女性用電子体温計を提供することを目的としている。
【課題を解決するための手段】
【０００６】
本発明の女性用電子体温計は、体温を測定した際の情報を表示する表示部と、前記表示部を収容するケースと、を備えた女性用電子体温計であって、前記ケースには、前記表示部を保持する表示部ホルダーが配置されると共に、この表示部ホルダーを前記ケース内に保持する保持突起群が設けられており、前記保持突起群は、前記表示部ホルダーの端面を保持する複数の第１リブと、前記ケースの内底面に対面する前記表示部ホルダーの主面を保持する第２リブとを有することを特徴とする。
上記構成によれば、もし使用者が女性用電子体温計を落下させてしまっても、表示部ホルダーを女性用電子体温計のケース内で脱落しないように確実に固定することができる。すなわち、表示部ホルダーは、第１リブを用いて、ケース内において主にケースの深さ方向に対して直交する方向に動かないように保持でき、さらに、第２リブを用いて、ケース内においてケースの深さ方向に動かないように保持できる。
【０００７】
好ましくは、前記表示部ホルダーは、前記表示部ホルダーを前記ケースの内面に着脱可能に固定するための係合片部を有し、前記係合片部は、前記ケースの内面側に向って付勢力を有する弾性部材であり、かつ、前記ケースの内面側の表面に別のリブが設けられていることを特徴とする。
上記構成によれば、表示部ホルダーは、係合片部によりケースに対して着脱可能に固定できる。さらに、表示部ホルダーは、係合片部の表面に形成されたリブがケースの内面を押圧して、ケース内での表示部ホルダーの挙動を抑制できる。
【発明の効果】
【０００８】
以上説明したように、本発明によれば、使用者が女性用電子体温計を落下させてしまっても、表示部をケース内で脱落しないように確実に固定することができる女性用電子体温計を提供することができる。
液晶，液晶ホルダー，窓部からなる表示部を大きくし、その視認性を向上させるために、表示部をケースのできるだけ表面側に設けても、表示部をケース内で確実に固定することができる女性用電子体温計が得られる。
【０００９】
液晶と基板を保持する液晶ホルダーに挟まれた液晶表示部を大きくし、その視認性を向上させるために、液晶表示部をケースのできるだけ表面側に設けても、液晶ホルダーをケース内で確実に固定することができる女性用電子体温計が得られる。
【図面の簡単な説明】
【００１０】
【図１】図１（Ａ）は、本発明の実施形態の女性用電子体温計の平面図、図１（Ｂ）は、女性用電子体温計の背面図、図１（Ｃ）は、女性用電子体温計の側面図。
【図２】図１に示す女性用電子体温計の分解斜視図。
【図３】液晶表示部の表示画面に表示される表示内容例を示す図。
【図４】図２に示す女性用電子体温計の電気的な構成例を示す図。
【図５】図２に示す本体ケースのボトムケースと蓋部材を示す図。
【図６】図６（Ａ）は、図５に示す電池ケースの電池収容部の内部構造例を示す斜視図。図６（Ｂ）は、図５に示す電池ケースの電池収容部のＮ−Ｎ線における断面図。
【図７】図７（Ａ）は、電池が電池ケースの電池収容部内に固定された状態を示す平面図であり、図７（Ｂ）は、電池が電池ケースの電池収容部内に固定された状態を示す側面図。
【図８】電池収容部内の第１電池押さえ部と延長部分の付近を示す斜視図。
【図９】図９（Ａ）は、図２に示す女性用電子体温計からフロントカバーを取り除いた状態のボトムケースと液晶表示部と機能選択部と液晶表示部ホルダーを示す平面図。図９（Ｂ）は、図９（Ａ）示す状態のボトムケースからさらに液晶表示部と機能選択部と液晶表示部ホルダーを取り除いた状態を示す平面図。図９（Ｃ）は、液晶表示部ホルダーの端部の形状例を示す斜視図。
【図１０】保持突起群を構成する第１リブとしてのストッパリブと、第２リブとしてのストッパリブの例を示す図。
【図１１】図１に示す女性用電子体温計を収納して保護するための収納ケースを示す図。
【発明を実施するための形態】
【００１１】
以下、本発明の好適な実施の形態を、添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
図１は、本発明の電池ケースを備えた電子体温計の一例である女性用電子体温計１を示しており、図１（Ａ）はその平面図、図１（Ｂ）はその背面図であり、図１（Ｃ）はその側面図である。図２は、図１に示す女性用電子体温計１の各要素を示す分解斜視図である。
図１に示す女性用電子体温計（以下、「体温計」という）１は、筐体である本体ケース（ケースの一例）２を有しており、この本体ケース２には、図２に示す各要素が収容されている。すなわち、本実施形態の本体ケース２は、ボトムケース３と延長胴体部４と透明性を有するフロントカバー５からなり、その中に基板６、液晶表示部７、機能選択部８、外部通信機能部のホルダー９、液晶表示部ホルダー１０、ブザー部１１が収容されている。なお、本体ケース２，ボトムケース３，延長胴体部４，フロントカバー５は、好ましくは耐衝撃性、耐薬品性を有するプラスチックにより作られている。
【００１２】
ボトムケース３は、基板６、液晶表示部７、機能選択部８、外部通信機能部の９、液晶表示部ホルダー１０、及びブザー部１１を収容して保持する船形形状を有する容器である。このボトムケース３は、Ｘ方向に沿って長く形成されＸ方向と直交するＹ方向に沿って短く形成された収容空間１２を有している。この収容空間１２の深さ方向は、Ｘ及びＹ方向の双方に直交するＺ方向に沿っている。ボトムケース３は、先端部３Ｓと後端部３Ｒを有しており、図２と図１（Ｂ）に示すように、後端部３Ｒの裏面部には、内蔵したボタン型電池を覆うための蓋部材１３が、着脱可能に取り付けられている。
【００１３】
延長胴体部４は、ボトムケース３に対して例えば接着剤により固定される部材である。延長胴体部４は、先端部のキャップ取付け部４Ａと、キャップ取付け部４Ａとは反対側の接続端部４Ｂとを有している。この延長胴体部４は、中空状の部材であり、接続端部４Ｂから先端部の金属キャップ取付け部４Ａに向けて先細りになるように形成されている。延長胴体部４の接続端部４Ｂが、ボトムケース３の先端部３Ｓ側に対して外側からはめ込んで固定されることで、延長胴体部４とボトムケース３が、図１に示すように一体構造になるように接続されている。
図１（Ｃ）に示すように、延長胴体部４の軸方向４Ｌは、ボトムケース３の軸方向であるＸ方向に対して、角度４Ｆ（５〜１０度）だけ少し下側（液晶表示部３の反対側）に傾いており、先端部のキャップ取付け部４Ａはやや下向きになっている。これにより、使用者が例えば先端部のキャップ取付け部４Ａを、例えば口中の舌下に咥えて体温を測定する場合に、使用者が測定しやすくなる。
【００１４】
図２に示す先端部のキャップ取付け部４Ａには、先端が閉じた金属製のキャップ４Ｃが固定されている。キャップ４Ｃは、熱伝導性に優れた材料、例えばステンレスにより作られており、キャップ４Ｃ内には、サーミスタのような破線で示す感温部としての温度計測部４Ｄが接着・固定されている。温度計測部４Ｄと基板６とは、図示しない電気配線により電気的に接続されている。このキャップ４Ｃは、温度計測部４Ｄに対して使用者の体温を伝熱させるとともに、温度計測部４Ｄを外部の衝撃や水分等から保護する役割を有する。
その他に、図１（Ｂ）に示すように、延長胴体部４の裏面には、浅い凹部４Ｋが形成されている。この凹部４Ｋには、使用者が口中の舌下に咥えて体温を測定する際に、滑るのを防止するための複数の突起部４Ｎが長手方向に対して直角に形成されている。これにより、使用者は体温を測る際に体温計１を確実に保持できる。ボトムケース３の先端部３Ｓの内部には、ブザー部１１が配置されている。
【００１５】
図２に示す基板６は、各種の回路要素と、液晶表示部７と、機能選択部８を搭載している。基板６は、ボトムケース３の収容空間１２内にはまり込む形状を有している。液晶表示部７は、基材７Ｂを用いて基板６の一部分に基板６から浮かした状態で搭載されている。これにより、液晶表示部７は、基板６の回路要素が動作の時に発熱しても、その熱から離すことができるとともに、液晶表示部７の表示画面１０３をできる限り、ボトムケース３の底部から離れた表面側の高い位置に保持することができる。機能選択部８は、基板６の残部に搭載され、ボトムケース３の後端部３Ｒ寄りに位置されている。
液晶表示部７の表示画面１０３は、例えば数字・文字・図形（キャラクター、アイコン等）を表示可能なドットマトリックス型の液晶表示装置により構成されている。なお、表示画面１０３に表示される表示内容の詳細例は、図３に示している。
【００１６】
図３は、液晶表示部７の表示画面１０３に表示される表示内容例を示している。
図３に示す選択機能表示領域３０１は、体温計１の各種機能を選択するための表示領域である。この選択機能表示領域３０１に表示された各絵文字（アイコン）は、左から順に、メモ入力機能、次回生理日表示機能、次回排卵日表示機能、目覚まし時刻設定機能、音量設定機能、時刻設定機能を選択するためのアイコンである。選択メモ表示領域３０２は、選択機能表示領域３０１におけるメモ入力機能が選択された際に、入力されるメモ内容を選択するための表示領域である。選択メモ表示領域３０２に表示された各絵文字（アイコン）は、左から順に、生理日、発熱、生理痛、性交、飲薬、おりもの、不正出血を示すアイコンである。測定データ表示領域３０３は、測定された体温データを表示し、過去の所定日数分の体温データを、トレンドグラフとして表示する。
【００１７】
図３の設定情報表示領域３０４は、目覚まし時刻設定機能やアラーム音量設定機能等を用いてユーザが設定した設定内容を表示する表示領域である。なお、本発明の実施形態の体温計１では、音量設定機能を用いて音量を設定する際に、音量を変更するための操作を行った場合、当該操作を行ったタイミングで、変更後の音量による音声が出力されるよう構成されている。このように、変更した音量を、実際にユーザがその場で視聴できる構成とすることで、ユーザは最適な音量設定を行うことが可能となる。現在日時表示領域３０５は、現在の日付（年月日）または時刻（時分）を表示する。内部状態表示領域３０６は、体温計１の内部状態を示す情報（例えば、電池の残量等）を表示する。デジタル表示領域３０９は、測定した体温の数値等をデジタル表示することができる。
【００１８】
液晶表示部７は、図３に示す各種の表示内容の情報を表示する必要があるので、使用者の視認性を確保するために、できる限り大型の表示画面１０３を必要とする。表示画面１０３の大型化を図るために、図２に示すように、基板６の有効面積において、機能選択部８を搭載する部分以外の部分に、液晶表示部７の表示画面１０３の領域を確保している。
このように液晶表示部７の表示画面１０３は、上述した各情報内容を表示する必要があるので、体温計１の全体の大きさに比べて大きな領域を占めており、比較的大型で重い。しかも、使用者が表示画面１０３の各表示内容の情報を見易くして視認性を良好にするために、液晶表示部７の表示画面１０３は、できる限りフロントカバー５の窓部分５Ａ寄りの位置に持ち上げるようにして配置されている。
【００１９】
図１（Ａ）と図２に示す機能選択部８は、左ボタン１１１、右ボタン１１２と、上ボタン１２１、下ボタン１２２と、中央の決定ボタン１３０を備える。左ボタン１１１と右ボタン１１２は、図３の表示画面１０３上に表示されたメニュー項目等の選択対象が選択状態にあることを示す識別子（カーソル）を移動させるための指示（移動指示）を与える。上ボタン１２１と下ボタン１２２は、カーソルの移動先の選択対象について、設定値を変更等するための指示（変更指示）を与える。決定ボタン１３０は、カーソルの移動先の選択対象（またはカーソルの移動先の選択対象ついて、変更された設定値）を決定する。
ところで、決定ボタン１３０は、体温計１の電源ＯＮ／ＯＦＦスイッチとしての役割もある。すなわち、機能選択部８は、十字ボタンである左ボタン１１１、右ボタン１１２、上ボタン１２１、下ボタン１２２と、そして決定ボタン１３０で構成されていることにより、体温計１の各機能を操作でき、決定ボタン１３０に電源操作機能を持たせることで、操作性を向上するとともにスイッチの数を減少させている。
【００２０】
図２に戻ると、液晶表示部ホルダー１０は、液晶表示部７を保持する全体が板状のホルダーであって、ボトムカバー３の内部に保持される部材である。具体的には、液晶表示部ホルダー１０は、弾性変形可能なプラスチックにより作られ、液晶表示部７を露出させるための長方形状の開口部１０Ａと、機能選択部８を露出させるための円形の開口部１０Ｂを有している。
本実施形態の場合、液晶表示部ホルダー１０は、基板６の外形形状にほぼ合わせた外形形状を有している。そして、液晶表示部ホルダー１０と基板６とは、基板６のおねじ６Ｍを液晶表示部のホルダー１０のねじ穴１０Ｈに通して、おねじ６Ｍにナット６Ｎを取り付けることにより、固定されている。また、液晶表示部ホルダー１０の周縁に設けられた爪部９９が、基板６を抱き込むようにして基板６の底面に係止されている。これにより、液晶表示部ホルダー１０と基板６とは液晶表示部７を間に挟みながら固定され、液晶表示部ホルダー１０はボトムケース３内に着脱可能にはめ込まれて固定される。
図２のフロントカバー５は、プラスチックにより作られており、透明な窓部分５Ａと、円形の開口部５Ｂを有している。フロントカバー５の透明な例えば凸レンズ状の窓部分５Ａと円形の開口部５Ｂ以外の部分５Ｃは、基板６側を外部から視覚的に見えないようにするために、不透明になっている。フロントカバー５の裏面は、液晶表示部ホルダー１０の表面に対して、好ましくは接着剤を用いて固定されている。
【００２１】
フロントカバー５の透明な窓部分５Ａは、液晶表示部７の表示画面１０３の面積よりもやや小さい面積を有しており、好ましくは凸レンズ状とされて、使用者はこの透明な窓部分５Ａを通じて、液晶表示部７の表示画面１０３に表示されている表示内容を拡大した状態で目視することができる。
開口部５Ｂは、液晶表示部ホルダー１０の開口部１０Ｂに対応した位置に形成され、使用者は、この開口部５Ｂと開口部１０Ｂを通じて外部に露出した機能選択部８を、指で触って操作することができる。
【００２２】
次に、図４を参照して、図２に示す体温計１の電気的な構成例を説明する。図４は、図２に示す体温計１の電気的な構成例を示す図である。
図４に示すように、図２に示すように、体温計１の基板６は、制御回路２２５、カウンタ２２６、表示制御部２２７、演算処理部２２１、ＲＯＭ２２２、タイマ２２４、ＲＡＭ２２３を搭載している。制御回路２２５は、電池２６０、カウンタ２２６、表示制御部２２７、演算処理部２２１、温度計測部４Ｄに対して電気的に接続されている。演算処理部２２１は、カウンタ２２６、ＲＯＭ２２２、タイマ２２４、ＲＡＭ２２３、ブザー部１１、機能選択部８の左ボタン１１１、右ボタン１１２と、上ボタン１２１、下ボタン１２２と、中央の決定ボタン１３０に電気的に接続されている。
液晶表示部７の表示画面１０３は、バックライト用のＬＥＤ２３１を有する。ブザー部１１は、目覚まし音や体温計測終了等の特定の状態を通知するためのアラーム音を発生する。電池２６０は、電池ケース２０内に配置され、制御回路２２５と温度計測部４Ｄに電源を供給する。この電池２６０は、蓋部材１３を取り外すことで交換可能である。
【００２３】
図４の温度計測部４Ｄは、使用者の体温を計測して、体温の数値をデジタル値として出力する。温度計測部４Ｄは、例えば並列に接続された感温部に設置されたサーミスタ及びコンデンサと、測温用ＣＲ発振回路とから構成され、サーミスタの温度に対応するカウンタ２２６のカウント量の変化に従い、温度をデジタル量として、制御回路２２５に対して出力する。
ＲＡＭ（ランダムアクセスメモリ）２２３は、１日１回の計測から得られた測定値（基礎体温データ）及び入力部２５０により入力された各種入力値を日付及び時刻と対応付けて、所定日数分（例えば２４０日分）記憶するとともに、月経周期ごと（生理初日から次の生理初日の前日まで）の中間データ等を一時記憶する。
ＲＯＭ（コンピュータ読取可能な記憶媒体）２２２は、体温測定に必要なパラメータや予測式プログラム等を格納している。タイマ２２４は、時刻及び日付を管理する。
【００２４】
図４の表示制御部２２７は、制御回路２２５の指令に従って液晶表示部２３０を制御する。カウンタ２２６は、温度計測部４Ｄの測温用ＣＲ発振回路の発振信号をカウントして、制御回路２２５に通知する。演算処理部２２１は、ＲＯＭ２２２の予測式プログラムに従い体温の予測演算等を行う。
なお、図４に示す制御回路２２５は、図１に示す各ボタン１１１，１１２，１２１，１２２，１３０のいずれかの操作を、演算処理部２２１を介して検出すると、制御回路２２５は、バックライト用のＬＥＤ２３１を自動的に点灯させるようになっている。これにより、バックライト用のＬＥＤ２３１を手動で点灯させるための操作スイッチが不要であり、体温計１の構造の簡単化を図っている。
【００２５】
図５は、図２に示すボトムケース３と蓋部材１３を示す図である。
図５に示すように、ボトムケース３の後端部３Ｒ寄りの位置には、電池ケース２０が設けられている。この電池ケース２０は、後端部３Ｒ寄りに設けられた電池収容部２１と、蓋部材１３により構成されている。電池ケース２０は、好ましい例としてコイン型電池とも呼ばれる薄い円柱形状のボタン型電池（以下、「電池」という）２６０を一枚だけ着脱可能に収容する部分である。
蓋部材１３は、本体部１３Ａと、係合突部１３Ｂと、挿入突部１３Ｃと、電池押さえ突起１３Ｒを有している。本体部１３Ａは、電池収容部２１の形状に合わせた曲面形状を有しており、係合突部１３Ｂは、ほぼＬ字型形状を有しており、本体部１３Ａの先端部１３ＤからＸ１方向に突出して形成されている。挿入突部１３Ｃは、本体部１３Ａの後端部１３Ｆの内部において、Ｘ１方向に向けて突出して形成されている。電池押さえ突起１３Ｒは、蓋部材１３が電池収容部２１と閉じた状態で、電池２６０の上面２６３を押さえ付けるための複数本のリブである。
【００２６】
図５に示す電池収容部２１は、電池２６０を収容する凹状部ＳＰを有し、凹状部ＳＰは、電池収容部２１に蓋部材１３が接続された状態において、蓋部材１３側（図５の上側）に臨む開口部を有している。電池収容部２１は、図５において左側に示す内側の係合穴部２２と、図５において右側に示す別の外側の係合孔部２３を有している。内側の係合穴部２２は、係合突部１３Ｂに対応する位置に形成されている。外側の係合孔部２３は、挿入突部１３Ｃに対応する位置に形成され、後述する第１電池押さえ部２４の厚み方向に貫通した孔であって、後述する突出部２４Ｔより下側に形成されている。これにより、蓋部材１３をＸ１方向にスライドして、電池収容部２１を蓋部材１３により閉鎖する際には、係合突部１３Ｂは、内側の係合穴部２２に着脱可能に係合されるとともに、挿入突部１３Ｃは、外側の係合孔部２３に着脱可能にはめ込まれる。このようにして、図１（Ｂ）と図１（Ｃ）に示すように、蓋部材１３を指でもってＸ１方向にスライド操作するだけで、蓋部材１３は、電池収容部２１を閉鎖して電池２６０を覆うことができる。
また、使用者が電池２６０を交換する際には、使用者が指で図１（Ｂ）に示す押圧部分２４ＰをＺ２方向（紙面垂直下方向）に押すことで、図５に示す係合突部１３Ｂと内側の係合穴部２２の係合を簡単に外すことができる。そして、図１（Ｂ）に示す蓋部材１３を電池収容部２１に対してＸ２方向にスライドさせるだけで、蓋部材１３を簡単に取り外して、後で説明する電池取り出し用の器具を挿入すれば電池２６０を取り出して、新しい電池２６０に交換することができる。
【００２７】
図６（Ａ）は、図５に示す電池収容部２１の内部構造例を示す斜視図である。図６（Ｂ）は、図５に示す電池収容部２１のＮ−Ｎ線における断面図である。図７（Ａ）は、電池２６０が電池収容部２１内に固定された状態を示す平面図であり、図７（Ｂ）は、電池２６０が電池収容部２１内に固定された状態を示す側面図である。
図６（Ａ）に示すように、すでに説明したように、電池ケース２０の電池収容部２１は、ボトムケース３の後端部３Ｒ寄りの位置に設けられており、体温計の電池収容部２１の反対面には、機能選択部８が設けられている。
【００２８】
図６及び図７に示すように、電池収容部２１は、後端部３Ｒの厚み方向の略半分を切り欠いた領域に設けられており、電池２６０をはめ込むための略円柱形の凹状部ＳＰが形成され、体温計１の各機器に電圧を供給するための第１及び第２端子部３１，３２と、電池を固定するための第１及び第２電池押さえ部２４，２５を有している。
凹状部ＳＰは、内底面部３０及び壁面部３０Ｒにより形成されている。内底面部３０は電池２６０の主面に対応した略円形であり、壁面部３０Ｒは、内底面部３０の略周囲に形成された円弧状である。そして、壁面部３０Ｒは、電池２６０の外周面に隣接すると共に対向するようにして、電池２６０の周囲に配置されており、これにより電池２６０を保持している。なお、壁面部３０Ｒは、電池２６０の全周を囲んでもよいが、電池２６０の一部（本実施形態の場合、約２／３）の外周面を囲むようにしてもよい。また、壁面部３０Ｒは、その上端３０Ｒ−１が、電池収容部２１の開口部の端面（蓋部材１３の縁部が当接する部分を有する領域）１９よりも図６の上側に突出し、後述する溝部５５に露出する電池２６０の外周面を除き、電池２６０の上面のみが露出するようになっている。
【００２９】
第１電池押さえ部２４と第２電池押さえ部２５とは対向して配置され、第１電池押さえ部２４は、電池２６０がその直径方法に動かないように押えると共に、電池２６０の上面又は上面角部２６２がＺ１方向に浮かないように押さえるために、押さえ用の突出部２４Ｔを有している。この押さえ用の突出部２４Ｔは、第２電池押さえ部２５に向けてオーバハング状に突出して形成されている。これと同時に、第２電池押さえ部２５は、電池２６０の上面又は上面角部２６２がＺ１方向に浮かないように押さえる。
【００３０】
図６に示す第１端子部３１と第２端子部３２は、導電性と弾性変形可能な金属製の電気端子であり、図４に示す制御回路２２５に接続されている。
複数の第１端子部３１は凹状部ＳＰの内底面部３０に配置され、図６（Ｂ）のＺ１方向に付勢された弾性力を有している。即ち、凹状部ＳＰに電池２６０がはめ込まれると、図７（Ｂ）に示すように、電池２６０は、第１電池押さえ部２４と第２電池押さえ部２５により押さえ付けられるので、電池２６０のマイナス電極２６１は、これらの第１端子部３１を弾性変形された状態で、第１端子部３１に対して電気的に接触される。
図７（Ａ）と図６（Ａ）に示すように、第２端子部３２は、第１電池押さえ部２４に向けて付勢力を発揮する板バネ状の第１及び第２接触端子３２Ｒ，３２Ｔを有している。第１接触端子３２Ｒと第２接触端子３２Ｔは、中央の接続部分３２Ｓの一端部と他端部から夫々延長して形成されており、第１接触端子３２Ｒの先端と第２接触端子３２Ｔの先端は、夫々突起部３２Ｂを有している。第１接触端子３２Ｒの突起部３２Ｂと第２接触端子３２Ｔの突起部３２Ｂは、図７（Ａ）に示すように、電池２６０の外周面のプラス電極２６４側に、形成角度Ｇで機械的に押し付けられて電気的に接触される。このように、第１接触端子３２Ｒと第２接触端子３２Ｔは、電池２６０の外周面のプラス電極２６４側を形成角度Ｇで機械的に押し付けられ、電気的に接触されるだけではなく、電池２６０をＸ２方向に向けて、第１電池押さえ部２４側に押し付けることができる。これにより、電池２６０は、第１電池押さえ部２４に押し付けられ、押さえ用の突出部２４Ｔが、電池２６０がＺ１方向に浮き上がらないようにさらに電池２６０を強固に保持でき、電池２６０が、凹状部ＳＰ内からＺ１方向に容易に外れるのを防止している。なお、形成角度Ｇは、例えば好ましくは９０度以下の角度である。
【００３１】
上述したように、図７（Ｂ）に示すように、電池２６０が凹状部ＳＰにはめ込まれた際、電池２６０の上面又は上面角部２６２は、第１電池押さえ部２４の突出部２４Ｔと第２電池押さえ部２５により押さえられているので、電池２６０がＺ１方向に浮くのを防いでいる。具体的には、図５に示すように、蓋部材１３をスライドしながら被せると、蓋部材１３の挿入突部１３Ｃが第１電池押さえ部２４の突出部２４Ｔより下側にある係合孔部２３に挿入され、電池２６０は第１及び第２接触端子３２Ｒ，３２Ｔの弾性力に反抗しながら挿入突部１３Ｃに押され、これにより電池２６０と突出部２４Ｔとの係合状態が解除され易くなる。しかし、図１（Ｂ）に示すように蓋部材１３が電池収容部２１に接続された状態であると、図５に示す蓋部材１３の電池押さえ突起１３Ｒが、電池２６０の上面２６３をＺ２方向に押さえ付ける。これにより、電池２６０は、Ｚ１方向に浮かないようにして凹状部ＳＰ内で確実に保持される。さらに、体温計１の落下や乳幼児の悪戯により、蓋部材１３が外れてしまった場合であっても、第１及び第２接触端子３２Ｒ，３２Ｔの弾性力が働いて、電池２６０を第１電池押さえ部２４側に押さえ付けると共に、突出部２４Ｔに電池２６０の上面又は上面角部２６２が押えられて、電池２６０がＺ１方向へ外れてしまうことを防止できる。
以上説明したような電池収容部２１内の構造と、蓋部材１３の構造を採用することにより、少ない部材で、落下や幼児の悪戯による電池２６０の取り外れを防止できる。
【００３２】
図８（Ａ）は、電池収容部２１内の第１電池押さえ部２４と壁面部３０Ｒの延長部分４０の付近を示す斜視図である。図８（Ｂ）は、図８（Ａ）の第１電池押さえ部２４と延長部分４０の付近をＨ１方向から見た斜視図である。図８（Ｃ）は、図８（Ａ）の第１電池押さえ部２４と延長部分４０の付近をＨ２方向から見た斜視図である。図８（Ｄ）は、図８（Ｂ）の第１電池押さえ部２４と延長部分４０の付近をＨ３方向から見た斜視図である。
図８（Ａ）に示すように、電池収容部２１は、壁面部３０Ｒの一部、及びその一部に隣接した開口部の端面１９が連続して切り欠かれることで溝部５５が形成されており、壁面部３０Ｒは、溝部５５に挿入される指先が電池の外周面に接触することを規制するように、溝部５５に向けて突出した延長部分４０を有している。なお、ここにいう「指先」には、大人の女性がファッション等で指先から長く伸ばしたような長い爪は含まれず、このため、大人の長く伸びた爪が溝部５５を通って電池の外周面に接触しても構わない。
【００３３】
具体的には、凹状部ＳＰの一部を形成する壁面部３０Ｒの２箇所及びそれに隣接した開口部の端面１９が切り欠かれて、２つの溝部５５，５５が形成され、この２つの溝部５５，５５の間に第１電池押さえ部２４が挟まれるように配置されている。この溝部５５は、爪楊枝等の器具を挿入して、電池の外周面を第１及び第２接触端子３２Ｒ，３２Ｔ側に向けて押圧し、突出部２４と電池との係合状態を解除するためのもので、第１及び第２接触端子３２Ｒ，３２Ｔに略対向するように配置されている。
そして、切り欠くことで形成された壁面部３０Ｒの端部３０Ｗ，３０Ｗには、それぞれ延長部分４０が、第１電池押さえ部２４に向けて延長して形成されている。換言すれば、延長部分４０は、端部３０Ｗに配置されたリブとも言える。そして、端部３０Ｗ，３０Ｗがそれぞれ延長部分４０を有することで、図８（Ｂ）と図８（Ｃ）に示す各延長部分４０と第１電池押さえ部２４との間に形成される隙間ＢＷの値を、できる限り小さくしている。延長部分４０は、各端部３０Ｗから延長して一体的に形成しても良いし、或いは、各端部３０Ｗに対して別部材として後付けで貼り付けて固定しても良い。
【００３４】
この隙間ＢＷは、爪楊枝のような細い電池取り出し用の器具ＴＬを、外側から意図的にしかも機械的に電池２６０側に挿入するために設けられている。図７に示すように蓋部材１３を取り外して、電池収容部２１内を露出させた状態で、例えば使用者が電池２６０を交換のために、細い電池取り出し用の器具ＴＬを、外側から電池２６０側に挿入することで、第１電池押さえ部２４と第２電池押さえ部２５から、電池２６０を機械的にしかも強制的に取り外すことができる。
このように、隙間ＢＷは、爪楊枝のような細い器具ＴＬを、壁面部３０Ｒの端部３０Ｗの外側から、電池２６０側へ挿入できる程度の小さい幅を有していれば良い。この小さい隙間ＢＷの寸法例としては、例えば１．８〜２．２ｍｍ、特に好ましくは２．０ｍｍである。
このように、延長部分４０と第１電池押さえ部２４との間に設けられる隙間ＢＷをできる限り小さくすると、仮に蓋部材１３が外れてしまい、電池収容部２１内の電池２６０が外部に露出した場合に、例えば４歳未満の幼児の指の爪が、電池２６０に対して直接当たらないようにすることができる。そして、使用者は、爪楊枝のような細い器具ＴＬを、隙間ＢＷを通じて外側から電池２６０側に挿入しないと、電池２６０を取り外すことができない。これにより、幼児が電池２６０を指の爪で外してしまうことを防いで、電池の誤飲を防ぐことができる。
【００３５】
図９（Ａ）は、図２に示す体温計１からフロントカバー５を取り除いた状態のボトムケース３と液晶表示部７と機能選択部８と液晶表示部ホルダー１０を示す平面図である。図９（Ｂ）は、図９（Ａ）に示す状態からさらに液晶表示部７と機能選択部８と液晶表示部ホルダー１０を取り除いた状態を示す平面図である。図９（Ｃ）は、液晶表示部ホルダー１０の端部の形状例を示す斜視図である。
図２に示す液晶表示部７の表示画面１０３は、すでに説明したように、各種の表示内容の情報を表示する必要があるので、体温計１の大きな領域を占めており、比較的大型で重い。液晶表示部７のサイズとしては、例えば図２に示す長さＬＬが４０ｍｍで幅ＷＷが２０ｍｍである。例えば液晶表示部ホルダー１０の長さＭＬは７４ｍｍで、幅ＭＷは２４ｍｍである。
しかも、図２に示す液晶表示部７の表示画面１０３は、使用者が各種の表示内容の情報を見易くするために、できる限りフロントカバー５の窓部分５Ａ寄りの位置に持ち上げるように配置されている。このため、液晶表示部７を支える液晶表示部ホルダー１０とボトムケース３の底面との間には空洞があり、使用者が体温計１を落下させてしまった場合に、液晶表示部７を保持している液晶表示部ホルダー１０がボトムケース３内において脱落あるいは動いてしまうのを防いで、故障を防止する必要がある。
【００３６】
そこで、図９に示すように、ボトムケース３の内側と液晶表示部ホルダー１０とが接する部分には、保持突起群４００が設けられている。この保持突起群４００は、ボトムケース３の内面３Ｇと液晶表示部ホルダー１０の端面との間に配置される複数個の第１リブ７０〜７６と、液晶表示部ホルダー１０の下面（基板等の他の部材を介した下面を含む）に接触する複数個の第２リブ８０とにより、構成されている。
具体的には、第１リブを構成する複数のストッパリブ７０〜７６のうち、ストッパリブ７０，７１，７２，７３，７４，７５は、ボトムケース３の内面３Ｇに設けられ、図９（Ａ）においてＺ方向（紙面垂直方向）に沿って形成され、液晶表示部ホルダー１０がボトムケース３内に装着された状態で、液晶表示部ホルダー１０の端面と接触する幅寸法（液晶表示部ホルダー１０の端面側に向って突出する長さ）を有している。なお、ストッパリブ７０と７５、７１と７４、７２と７３は、体温計１の長手方向の中心軸に対して、対向位置にある。
これに対して、図９（Ａ）（Ｃ）に示すように、第１リブの別のストッパリブ７６は、液晶表示部ホルダー１０の係合片部７７の表面側に設けられている。なお、係合片部７７は、図のＸ方向（対向するボトムケース３の内面３Ｇ側）に付勢力を発揮する。そして、図９（Ｃ）に示す液晶表示部ホルダー１０の一端部１０Ｔ側を、図９（Ｃ）に示すボトムケース３の後端部３Ｒにはめ込むと、係合片部７７の凸部７８がボトムケース３の内面３Ｇの穴部３Ｗにはめ込まれて、液晶表示部ホルダー１０をボトムケース３の後端部３Ｒの内側に対して固定することができ、この固定状態において、ストッパリブ７６は、ボトムケース３の後端部３Ｒの内面３Ｇに接触する幅寸法（内面３Ｇに向って突出する長さ）を有している。
これにより、図９（Ａ）に示すように、液晶表示部ホルダー１０がボトムケース３内に装着されると、ボトムケース３側のストッパリブ７０〜７５が液晶表示部ホルダー１０の端面（主面とは異なる周側面）を押圧し、さらに、液晶表示部ホルダー１０の係合片部７７側のストッパリブ７６がボトムケース３の内面３Ｇを押圧して、ボトムケース３内における液晶表示部ホルダー１０の脱落、あるいは挙動を抑制することができる。
【００３７】
さらに、図９（Ｃ）に示すように、ストッパリブ７６は、係合片部７７のほぼＺ方向、つまり、液晶表示部ホルダー１０をボトムケース３に挿入する方向に沿って長く形成されている。このため、係合片部７７がＲＴ方向に撓む動作を抑制し、体温計１の落下衝撃があっても、係合片部７７の凸部７８が、ボトムケース３の後端部３Ｒの内側の穴部３Ｗから外れるのを防止できる。
なお、複数個のストッパリブ７０〜７５は、ボトムケース３をプラスチック成形する場合に同時に成形して設けることができる。液晶表示部ホルダー１０の係合片部７７側のストッパリブ７６は、液晶表示部ホルダー１０をプラスチック成形する場合に同時に成形して設けることができる。あるいは、第１リブ７０〜７６は、別途弾性変形する例えばゴムにより作って、貼り付けても良い。また、第１リブの設定数は、図９の例に限らず任意に選択することができ、ボトムケース３の内側３Ｇだけでなく、液晶表示部ホルダー１０の外周部分側に複数のストッパリブを設けるようにしても良い。
【００３８】
図１０（Ａ）は、上述した保持突起群を構成する第１リブの例であるストッパリブ７０〜７５と、第２リブの例であるストッパリブ８０の好ましい設定例を示す図であり、図１０（Ｂ）は、図１０（Ａ）に示すボトムケース３の内面３Ｇに形成されたストッパリブ７０〜７５とストッパリブ８０をＸ２方向から見た平面図である。
図９（Ａ）と図１０（Ｂ）に示すように、第２リブである２つのストッパリブ８０がボトムケース３の内面３Ｇにおいて対向する位置に形成されている。図１０（Ａ）に示すように、これらのストッパリブ８０は、Ｚ方向に沿って形成され、高さＨ１と幅Ｗ１を有している。
【００３９】
図１０（Ｂ）に示すように、ストッパリブ７０〜７５は、Ｚ方向に沿って形成されている。図１０（Ａ）に示すように、ストッパリブ７０〜７５の高さＨ２は、ストッパリブ８０の高さＨ１に比べて大きい。ストッパリブ７０〜７５の幅Ｗ２は、ストッパリブ８０の幅Ｗ１に比べて小さい。すなわち、ストッパリブ８０は、ストッパリブ７０〜７５に比べて、Ｙ方向に関する幅Ｗ１は広いが高さＨ１が低く形成されている。
これにより、図１０（Ａ）に示すように、液晶表示部ホルダー１０は、ボトムケース３の内面３Ｇに形成されたストッパリブ７０〜７５とストッパリブ８０により保持される。すなわち、ストッパリブ７０〜７５は、液晶表示部ホルダー１０の左右端面１０Ｍを支え、しかも液晶表示部ホルダー１０がＹ方向（左右方向）に関して移動するのを防止する機能を果たす。そして、ストッパ８０，８０は、ボトムケース３の内底面に対面する液晶表示部ホルダー１０の下面部分１０Ｎを支えて（図２に示す基板６を介して支えてもよい）、液晶表示部ホルダー１０をボトムケース３に実装しやすくなり、実装された後はＺ１方向（下方向）に下がるのを防止する機能を果たすことができる。
【００４０】
図２に示す液晶表示部７の表示画面１０３は、すでに説明したように、各種の表示内容の情報を表示する必要があるので、比較的大型で重い。しかも、使用者が表示画面１０３の各情報内容を見易くするために、できる限りフロントカバー５の窓部分５Ａ寄りの位置に持ち上げるようにして配置されている。しかし、ストッパリブ７０〜７５とストッパリブ８０が設けられているので、液晶表示部ホルダー１０をボトムケース３に実装しやすくなり、実装された後は、体温計１を落下させてしまった場合であっても、液晶表示部７を保持している液晶表示部ホルダー１０がボトムケース３に対して、Ｚ１方向（下方向）とＹ方向に動いてしまうのを防ぎ、液晶表示部７を安定して固定することができる。
【００４１】
図１１は、図１に示す体温計１を収納して保護するための収納ケース３００を示している。図１１（Ａ）はこの収納ケース３００の平面図、図１１（Ｂ）は収納ケース３００の側面図、図１１（Ｃ）は図１１（Ａ）の収納ケース３００のＡ−Ａ線における断面図、図１１（Ｄ）は図１１（Ａ）の収納ケース３００のＣ−Ｃ線における断面図、図１１（Ｅ）は図１１（Ａ）の収納ケース３００のＢ−Ｂ線における断面図である。
【００４２】
この収納ケース３００は、プラスチックにより筒状に形成され、先端部３０１が除々に先細りになって閉じた形状になるように作られており、図１１（Ｃ）に示すように、収納ケース３００の先端部３０１には、空気抜き穴３０２が形成されている。収納ケース３００の後端部３３０には、体温計１の先端部を挿入するための開口部３４０が形成されている。そして、収納ケース３００の内周面には、複数のガイド用リブ３０３〜３１３が形成されている。
このように、ガイド用リブ３０３〜３１３が、収納ケース３００の内周面に形成されていることにより、図１１（Ｃ）に示すように、体温計１の先端部が、ガイド用リブ３０３〜３１３により、収納ケース３００の内部に円滑にＴ方向に案内され、キャップ４Ｃを先端部収納部３５０内に収めることができる。これにより、体温計１の先端部のキャップ４Ｃが、収納ケース３００の内部で引っかかってしまい、適切ではない個所で固定されてしまうことを防止することができる。
【００４３】
本発明の実施形態では、もし使用者が女性用電子体温計を落下させてしまっても、表示部のホルダーを女性用電子体温計のケース内で脱落しないように確実に固定することができる。すなわち、表示部のホルダーは、第１リブを用いて、ケース内においてケースの深さ方向に対して直交する方向に動かないように保持でき、表示部のホルダーは、第２リブを用いて、ケース内においてケースの深さ方向に動かないように保持でき、女性用電子体温計の故障を防ぐことができる。
また、表示部のホルダーは、係合片部によりケースに対して着脱可能に固定でき、表示部のホルダーは、係合片部の表面に形成されているリブを用いて、ケース内でケースの深さ方向とは直交する方向に動かないように固定できる。
【００４４】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
【符号の説明】
【００４５】
１・・・女性用電子体温計、２・・・本体ケース（ケースの一例）、３・・・ボトムケース、４・・・延長胴体部、５・・・フロントカバー、６・・・基板、７・・・表示部、８・・・機能選択部、１０・・・表示部ホルダー、１１・・・ブザー部、１３・・・蓋部材、２０・・・電池ケース、２１・・・電池収容部、２４・・・第１電池押さえ部、２４Ｔ・・・押さえ用の突出部、２５・・・第２電池押さえ部、３０Ｒ・・・壁面部、３０Ｗ・・・壁面部の端部、４０・・・延長部分、７０〜７６・・・ストッパリブ（第１リブ、保持突起群の一部）、８０・・・ストッパリブ（第２リブ、保持突起群の一部）、２６０・・・電池、４００・・・保持突起群、ＳＰ・・・凹状部、ＢＷ・・・隙間
【図１】
2013064622.tif 000003
【図２】
2013064622.tif 000004
【図３】
2013064622.tif 000005
【図４】
2013064622.tif 000006
【図５】
2013064622.tif 000007
【図６】
2013064622.tif 000008
【図７】
2013064622.tif 000009
【図８】
2013064622.tif 000010
【図９】
2013064622.tif 000011
【図１０】
2013064622.tif 000012
【図１１】
2013064622.tif 000013